(57)【特許請求の範囲】
【請求項１】
各部品が実装される場所の近傍に設けられる向きを有する文字でない記号の向きを仕向け別に異ならせた電子回路基板において、各部品が実装される場所の近傍に中心部から放射状に複数の文字でない向きを有する記号で形成される表示部を有する導体パターンを設け、前記記号の向きを各部品の仕向けに対応させ、仕向けに対応しない向きの記号をレジストで覆い、レジストで覆われていない向きの記号に半田を盛ったことを特徴とする電子回路基板。
【発明の詳細な説明】
【０００１】
【発明の属する技術分野】
この発明は電子回路基板に係わり、特に、各仕向けについての部品の検査が簡単に行える電子回路基板に関する。
【０００２】
【従来の技術】
共通の基板基体を複数の仕向けに用い、各仕向けを識別するための識別部品を実装する電子回路基板が特許第２６７０３７９号に提案されている。この電子回路基板ではその仕向けは識別部品を見て判別することができるが、各々の部品がその仕向け通りに正しく実装されているか否かを検査するときは部品表と電子回路基板の各部品とを対応させて検査しなければならず検査に膨大な工数が掛かる上に、部品表との対応に見間違いも発生しやすいという問題があった。
【０００３】
【発明が解決しようとする課題】
この発明は上記した点に鑑みてなされたものであって、その目的とするところは、電子回路部品単体を見るだけで、各仕向けに対応して正しく部品が実装されているか否かの検査が一目で行える電子回路基板を提供することにある。
【０００４】
【課題を解決するための手段】
この発明の電子回路基板は、各部品が実装される場所の近傍に設けられる向きを有する文字でない記号の向きを仕向け別に異ならせた電子回路基板において、各部品が実装される場所の近傍に中心部から放射状に複数の文字でない向きを有する記号で形成される表示部を有する導体パターンを設け、前記記号の向きを各部品の仕向けに対応させ、仕向けに対応しない向きの記号をレジストで覆い、レジストで覆われていない向きの記号に半田を盛ったものである。
【０００８】
【発明の実施の形態】
この発明の実施例である電子回路基板を図面に基づいて説明する。図１はこの発明の第１の参考例である電子回路基板を示す平面図である。この例ではプリント基板基体１がＡ、Ｂ、ＣおよびＤの仕向けに用いられる。
【０００９】
そして、Ａ仕向けには部品識別番号２ａ（Ｒ１０）および部品識別番号３ａ（Ｒ１５０）が右向き（頭が右向き）に印字されている。またＢ仕向けには部品識別番号２ｂ（Ｒ１０）が上向きに印字されている。また、Ｃ仕向けには部品識別番号２ｃ（Ｒ１０）および４ｃが左向きに印字されている。さらに、Ｄ仕向けには部品識別番号２ｄ（Ｒ１０）が下向きに印字されている。
【００１０】
このように印字された部品識別番号の向きを見るだけでその場所に実装された部品と仕向けの対応が分かる。すなわち、部品３はＡ仕向けであり、部品２は全仕向けであり、部品４はＣ仕向けである。
【００１１】
図２はこの発明の第２の参考例である電子回路基板を示す平面図である。この例ではプリント基板基体５が日本仕向け、米国仕向け等４つの仕向けに用いられる。そして、日本仕向けには部品識別番号６ａ（Ｒ１２３）が印字され、さらに上向きの記号６ｂ（三角形の底辺が下向き）が印刷されている。また、米国仕向けには部品識別番号７ａ（Ｒ１２４）が印字され、さらに記号７ｂ（三角形の底辺が右向き）が印刷されている。また、全仕向けに部品識別番号８ａ（Ｒ１２５）が印字され、さらに４方向の三角形の記号８ｂ印刷されている。
【００１２】
この例では部品識別番号は各部品に同方向のものが１つだけ印字されているが記号の向きを見るだけでその場所に実装された部品と仕向けの対応が分かる。すなわち、部品６は日本仕向けであり、部品７は米国仕向けであり、部品８は全仕向けである。このように部品識別番号を１つだけ印字するだけでよく配置の自由度が増し、また省スペース化が達成できる。
【００１３】
図３はこの発明の第３の参考例である電子回路基板を示す平面図である。この例ではプリント基板基体９が日本仕向け、米国仕向け等４つの仕向けに用いられる。そして、日本仕向けには部品識別番１０ａ（Ｒ１２３）および部品識別番１４ａ（Ｒ１２７）が印字され、さらに上向きの記号１０ｂ（三角形の黒塗りの底辺が下向き）および１４ｂが印刷されている。記号１４ｂは部品識別番１４ａの横のスペースがないので部品識別番１４ａから離れた場所に印刷され線で対応が表示されている。
【００１４】
また、米国仕向けおよび日本仕向けは部品識別番号１１ａが印字され、さらに記号１１ｂ（三角形の黒塗りの底辺が右向きのものと下向きのものを含む）が印刷されている。
【００１５】
この右向きの三角形は米国仕向けを表し、下向きの三角形は日本仕向けを表している。また、全仕向けに部品識別番号１２ａおよび部品識別番号１３ａが印字され、さらに部品識別番号１２ａの横には４方向の三角形の記号１２ｂが印刷されている。部品識別番号１３ａは全仕向けのものであり、この場合は記号を印刷しなくても全仕向けと判断できる。
【００１６】
この例では部品識別番号は各部品に同方向のものが１つだけ印字されているが記号の向きを見るだけでその場所に実装された部品と仕向けの対応が分かる。すなわち、部品１０および１４は日本仕向けであり、部品１１は米国仕向けおよび日本仕向けであり、部品１２および１３は全仕向けである。このように部品識別番号を１つだけ印字するだけでよく配置の自由度が増し、また省スペース化が達成できる。この例では三角形の底辺が黒塗りされているので見分けやすい。
【００１７】
図４はこの発明の第４の参考例である電子回路基板を示す平面図である。この例ではプリント基板基体１５が日本仕向け、米国仕向け、中国仕向け、および欧州仕向けの４つの仕向けに用いられる。そして、第４の実施例と同様に黒塗りの底辺の三角形の記号で仕向けを表示している。すなわち、黒塗りの三角形の下向き記号１６ｂは日本仕向けであり、黒塗りの三角形の右向きの記号１７ｂは米国仕向けである。また、黒塗りの三角形の上向き記号は欧州向けであり、黒塗りの三角形の左向きの記号は中国向けである。全仕向けの記号１８ｂは４方向の三角形が印刷されている。
【００１８】
そして、部品識別番１６ａ、１７ａおよび１８ａは同一の向きに１つだけ印字されている。この例ではミシン目により欧州、中国、日本および米国と印字された捨て基板が設けられている。そして、各仕向けの捨て基板が残され他の捨て基板が除去される。この例では捨て基板により各仕向けが容易に断され、各部品１６、１７および１８の仕向けは夫々記号１６ｂ、１７ｂおよび１８ｂで区別できる。
【００１９】
図５（ａ）はこの発明の第５の参考例に用いられる記号を示している。この例では記号は導体パターン２０の三角形の底辺に盛られた半田２０ａで仕向けが判断される。すなわち、各仕向けで半田の盛られる部分をマスクして導体パターン２０がレジストで覆われマスクされた部分に半田が盛られる。そして、半田の部分で仕向けが判断できる。この例ではメタルマスクによるレジスト加工の他に仕向けの記号のためのシルク印刷が不要であり、製造工程が簡略化され、また、半田は顕著に見えて区別しやすい。
【００２０】
図５（ｂ）はこの発明の第１の実施例に用いられる記号を示している。この例では記号は放射状の導体パターン２１の各先端部に第５の実施例と同様に盛られた半田２１ａで仕向けが判断される。
【００２１】
図５（ｃ）はこの発明の第２の実施例に用いられる記号を示している。この例では記号は正多角形の導体パターン２２の各先端部に第５の実施例と同様に盛られた半田２２ａで仕向けが判断される。
【００２２】
実施例は以上のように構成されているが発明はこれに限られず、例えば、記号は三角形、多角形、放射形に限られず向きが区別できる形状あればよい。
【００２３】
【発明の効果】
この発明の電子回路基板によれば、部品表と照らし合わせなくても各仕向けの部品が正しく実装されていることを一目で判断でき、検査の工程が大幅に削減される。
【図面の簡単な説明】
【図１】  この発明の第１の参考例である電子回路基板を示す平面図である。
【図２】  この発明の第２の参考例である電子回路基板を示す平面図である。
【図３】  この発明の第３の参考例である電子回路基板を示す平面図である。
【図４】  この発明の第４の参考例である電子回路基板を示す平面図である。
【図５】  図５（ａ）はこの発明の第５の参考例の電子回路基板に用いられる導体パターンを示す平面図、図５（ｂ）はこの発明の第１の実施例の電子回路基板に用いられる導体パターンを示す平面図、図５（ｃ）はこの発明の第２の実施例の電子回路基板に用いられる導体パターンを示す平面図である。
【符号の説明】
１  プリント基板基体
２  部品、２ａ、２ｂ、２ｃ、２ｄ  部品識別番号
３  部品、３ａ  部品識別番号
４  部品、４ｃ  部品識別番号
５  プリント基板基体
６  部品、６ａ  部品識別番号、６ｂ  記号
７  部品、７ａ  部品識別番号、７ｂ  記号
８  部品、８ａ  部品識別番号、８ｂ  記号
９  プリント基板基体
１０  部品、１０ａ  部品識別番号、１０ｂ  記号
１１  部品、１１ａ  部品識別番号、１１ｂ  記号
１２  部品、１２ａ  部品識別番号、１２ｂ  記号
１３  部品、１３ａ  部品識別番号
１４  部品、１４ａ  部品識別番号、１４ｂ  記号
１５  プリント基板基体
１６  部品、１６ａ  部品識別番号、１６ｂ  記号
１７  部品、１７ａ  部品識別番号、１７ｂ  記号
１８  部品、１８ａ  部品識別番号、１８ｂ  記号
２０  導体パターン、２０ａ  半田
２１  導体パターン、２１ａ  半田
２２  導体パターン、２２ａ  半田
【図１】
0003893272.tif 000002
【図２】
0003893272.tif 000003
【図３】
0003893272.tif 000004
【図４】
0003893272.tif 000005
【図５】
0003893272.tif 000006